(57)【要約】【課題】ハウジング同士の嵌合作業を行う前に、電線カバーが正しく組み付けられるようにする。【解決手段】第１ハウジング１０は、ハウジング本体１１に電線カバー４０を組み付け、電線カバー４０にレバー８０（倍力部材）を設けた形態である。第２ハウジング９０はカムフォロア９４（第１倍力機能部）を有する。レバー８０のカム溝８４（第１倍力作用部）とカムフォロア９４が係合した状態でレバー８０を変位させると、両ハウジング１０，９０が嵌合される。レバー８０の係合リブ８７（第２倍力作用部）とハウジング本体１１の係合突起１６（第２倍力機能部）を係合させた状態でレバー８０を変位させると、電線カバー４０とハウジング本体１１が組み付けられる。【選択図】図３
2011034923.tif 000002
【特許請求の範囲】
【請求項１】
ハウジング本体に電線カバーを組み付けた形態の第１ハウジングと、
前記ハウジング本体と前記電線カバーのうちいずれか一方の部材に変位可能に設けられ、第１倍力作用部を有する倍力部材と、
第１倍力機能部が設けられた第２ハウジングとを備え、
前記第１倍力作用部と前記第１倍力機能部が係合した状態で前記倍力部材を変位させることにより、前記第１ハウジングと前記第２ハウジングに対し嵌合方向へ相対移動させる力が付与されるようになっているコネクタにおいて、
前記倍力部材には第２倍力作用部が設けられ、
前記ハウジング本体と前記電線カバーのうち前記倍力部材が取り付けられていない側の部材には、第２倍力機能部が設けられ、
前記第２倍力作用部と前記第２倍力機能部が係合した状態で前記倍力部材を変位させることにより、前記電線カバーと前記ハウジング本体に対し正規の組付け状態へ相対移動させる力が付与される構成としたことを特徴とするコネクタ。
【請求項２】
前記倍力部材は、同一の経路に沿って往復変位し得るようになっており、
前記第１ハウジングと前記第２ハウジングを嵌合させるときの前記倍力部材の変位方向と、前記電線カバーと前記ハウジング本体を組み付けるときの前記倍力部材の変位方向が、互いに逆向きであることを特徴とする請求項１記載のコネクタ。
【請求項３】
前記倍力部材は、初期位置と嵌合位置との間で往復変位し得るようになっており、
前記倍力部材が初期位置にある状態では、前記第１ハウジングと前記第２ハウジングを浅く嵌合したときに、前記第１倍力機能部が前記第１倍力作用部の入口に進入するようになっており、
前記倍力部材が初期位置から嵌合位置に向かって変位することにより、前記第１ハウジングと前記第２ハウジングの嵌合が進行し、
前記倍力部材が嵌合位置に到達すると、前記第１ハウジングと前記第２ハウジングが正規の嵌合状態に至るようになっており、
前記倍力部材が初期位置に到達したときに、前記電線カバーと前記ハウジング本体とが正規の組付け状態となる構成としたことを特徴とする請求項２記載のコネクタ。
【請求項４】
前記倍力部材と前記第１ハウジングには、前記倍力部材が初期位置にある状態で互いに係止することにより、前記倍力部材の嵌合位置側への変位を規制する係止部が設けられていることを特徴とする請求項３記載のコネクタ。
【請求項５】
前記ハウジング本体の背面から導出された複数本の電線を液密状に貫通させる複数のシール孔を有し、前記ハウジング本体の背面に当接するとともに、外周を前記ハウジング本体に形成したシール面に密着させた状態で取り付けられる一括ゴム栓と、
前記複数本の電線を貫通させる貫通孔を有し、前記一括ゴム栓の背面に当接されるホルダとを備え、
前記電線カバーには、前記電線カバーが前記ハウジング本体に対して組付け方向へ相対移動する過程で、前記ホルダを背面側から前記一括ゴム栓側へ押圧する押圧部が設けられ、
前記押圧部の押圧作用により、前記一括ゴム栓が前記ハウジング本体の背面と前記ホルダとの間で弾性的に圧縮変形させられる構成としたことを特徴とする請求項１ないし請求項４のいずれか１項に記載のコネクタ。
【発明の詳細な説明】
【技術分野】
【０００１】
本発明は、コネクタに関するものである。
【背景技術】
【０００２】
特許文献１には、倍力部材であるレバーを用いて第１と第２の２つのハウジングを嵌合するコネクタが開示されている。第１ハウジングにはレバーが取り付けられ、第２ハウジングは、ハウジング本体と電線カバーとを組み付けて構成されている。レバーと電線カバーには、電線カバーがハウジング本体に正しく組み付けられている場合にのみ、レバーの初期位置から嵌合位置への回動を許容する検知手段が設けられている。したがって、両ハウジングを嵌合する際にレバーを初期位置から嵌合位置側へ回動することができないときには、電線カバーが正しく組み付けられていないことが検知される。
【先行技術文献】
【特許文献】
【０００３】
【特許文献１】特開２００９−０９３９３０号公報
【発明の概要】
【発明が解決しようとする課題】
【０００４】
上記のコネクタでは、電線カバーが不正な組み付け状態であることが両ハウジングを嵌合する現場で検知される。したがって、電線カバーの不正な組付けが検知された場合には、一旦嵌合作業を中断し、電線カバーを正しく組み付けた後に、嵌合作業を再開しなければならない。このような作業の中断は、作業効率低下の原因となるため、改善が望まれる。
【０００５】
本発明は上記のような事情に基づいて完成されたものであって、ハウジング同士の嵌合作業を行う前に、電線カバーが正しく組み付けられるようにすることを目的とする。
【課題を解決するための手段】
【０００６】
上記の目的を達成するための手段として、請求項１の発明は、ハウジング本体に電線カバーを組み付けた形態の第１ハウジングと、前記ハウジング本体と前記電線カバーのうちいずれか一方の部材に変位可能に設けられ、第１倍力作用部を有する倍力部材と、第１倍力機能部が設けられた第２ハウジングとを備え、前記第１倍力作用部と前記第１倍力機能部が係合した状態で前記倍力部材を変位させることにより、前記第１ハウジングと前記第２ハウジングに対し嵌合方向へ相対移動させる力が付与されるようになっているコネクタにおいて、前記倍力部材には第２倍力作用部が設けられ、前記ハウジング本体と前記電線カバーのうち前記倍力部材が取り付けられていない側の部材には、第２倍力機能部が設けられ、前記第２倍力作用部と前記第２倍力機能部が係合した状態で前記倍力部材を変位させることにより、前記電線カバーと前記ハウジング本体に対し正規の組付け状態へ相対移動させる力が付与される構成としたところに特徴を有する。
【０００７】
請求項２の発明は、請求項１に記載のものにおいて、前記倍力部材は、同一の経路に沿って往復変位し得るようになっており、前記第１ハウジングと前記第２ハウジングを嵌合させるときの前記倍力部材の変位方向と、前記電線カバーと前記ハウジング本体を組み付けるときの前記倍力部材の変位方向が、互いに逆向きであるところに特徴を有する。
【０００８】
請求項３の発明は、請求項２に記載のものにおいて、前記倍力部材は、初期位置と嵌合位置との間で往復変位し得るようになっており、前記倍力部材が初期位置にある状態では、前記第１ハウジングと前記第２ハウジングを浅く嵌合したときに、前記第１倍力機能部が前記第１倍力作用部の入口に進入するようになっており、前記倍力部材が初期位置から嵌合位置に向かって変位することにより、前記第１ハウジングと前記第２ハウジングの嵌合が進行し、前記倍力部材が嵌合位置に到達すると、前記第１ハウジングと前記第２ハウジングが正規の嵌合状態に至るようになっており、前記倍力部材が初期位置に到達したときに、前記電線カバーと前記ハウジング本体とが正規の組付け状態となる構成としたところに特徴を有する。
【０００９】
請求項４の発明は、請求項３に記載のものにおいて、前記倍力部材と前記第１ハウジングには、前記倍力部材が初期位置にある状態で互いに係止することにより、前記倍力部材の嵌合位置側への変位を規制する係止部が設けられているところに特徴を有する。
【００１０】
請求項５の発明は、請求項１ないし請求項４のいずれかに記載のものにおいて、前記ハウジング本体の背面から導出された複数本の電線を液密状に貫通させる複数のシール孔を有し、前記ハウジング本体の背面に当接するとともに、外周を前記ハウジング本体に形成したシール面に密着させた状態で取り付けられる一括ゴム栓と、前記複数本の電線を貫通させる貫通孔を有し、前記一括ゴム栓の背面に当接されるホルダとを備え、前記電線カバーには、前記電線カバーが前記ハウジング本体に対して組付け方向へ相対移動する過程で、前記ホルダを背面側から前記一括ゴム栓側へ押圧する押圧部が設けられ、前記押圧部の押圧作用により、前記一括ゴム栓が前記ハウジング本体の背面と前記ホルダとの間で弾性的に圧縮変形させられる構成としたところに特徴を有する。
【発明の効果】
【００１１】
＜請求項１の発明＞
倍力部材を変位させると、第２倍力作用部と第２倍力機能部との係合により、電線カバーとハウジング本体が正規の組付け状態となる。倍力部材を、第２ハウジング側ではなく、電線カバーとハウジング本体を有する第１ハウジング側に設けているので、第１ハウジングと第２ハウジングを組み付ける前に、電線カバーとハウジング本体を正しく組み付けておくことができる。また、倍力部材は、第１ハウジングと第２ハウジングを嵌合させるための嵌合機能だけでなく、電線カバーとハウジング本体を正しく組み付けるための組付け機能も兼ね備えているので、倍力部材とは別に、組付け機能のための専用の部材を設ける必要がなく、部品点数が少なくて済む。
【００１２】
＜請求項２の発明＞
倍力部材は、第１ハウジングと第２ハウジングを嵌合させるときと、電線カバーとハウジング本体を組み付けるときで同じ経路上を逆向きに変位する。したがって、第１ハウジングと第２ハウジングを嵌合させるときの倍力部材の変位経路と、電線カバーとハウジング本体を組み付けるときの倍力部材の変位経路が、互いに別々である場合に比べると、倍力部材の変位に必要なスペースが小さくて済む。
【００１３】
＜請求項３の発明＞
倍力部材を初期位置まで変位させると、電線カバーとハウジング本体との組付けが完了するとともに、第１ハウジングと第２ハウジングとの嵌合準備が整う。電線カバーとハウジング本体を組み付けた後は、倍力部材をそのまま初期位置に留め置けばよいので、倍力部材を無駄に変位させる必要がなく、作業性に優れている。
【００１４】
＜請求項４の発明＞
倍力部材を初期位置へ変位させると、係止部同士の係止作用により、倍力部材を確実に初期位置に保持しておくことができる。
【００１５】
＜請求項５の発明＞
電線をシール孔に貫通させる作業は、電線カバーをハウジング本体に組み付ける前に行われる。電線を貫通した後、電線カバーをハウジング本体に対して組付け方向へ相対移動させると、一括ゴム栓が弾性的に圧縮されることにより、シール孔の内周が縮径方向に変位してシール孔と電線との間の密着度が高まる。電線をシール孔に挿通する時点では、シール孔の内径が比較的大きいので、電線を挿通する際の抵抗が小さく抑えられており、作業性がよい。
【図面の簡単な説明】
【００１６】
【図１】実施形態１の第１ハウジングを組み付ける過程において、電線カバーがハウジングに対して正規の組付位置に至る直前の状態をあらわす平面図
【図２】レバーを回動操作することにより、電線カバーを正規の組付位置へ移動させている状態をあらわす平面図
【図３】レバーの回動操作により、電線カバーが正規の組付位置へ移動した状態をあらわす平面図
【図４】第１ハウジングと第２ハウジングの嵌合過程をあらわす平面図
【図５】第１ハウジングと第２ハウジングの嵌合状態をあらわす平面図
【図６】図１の状態の断面図
【図７】図３の状態の断面図
【図８】図１の状態の左側面図
【図９】電線カバーが正しく組み付けられている状態をあらわす第１ハウジングの左側面図
【図１０】電線カバーが正しく組み付けられている状態をあらわす第１ハウジングの右側面図
【図１１】第１ハウジングのハウジング本体の平面図
【図１２】ハウジング本体の背面図
【図１３】ハウジング本体の右側面図
【図１４】電線カバーの平面図
【図１５】電線カバーの正面図
【図１６】電線カバーの右側面図
【図１７】電線カバーの断面図
【図１８】一括ゴム栓の正面図
【図１９】ホルダの平面図
【図２０】ホルダの背面図
【図２１】ホルダの右側面図
【図２２】ホルダの断面図
【図２３】第２ハウジングの平面図
【図２４】第２ハウジングの左側面図
【発明を実施するための形態】
【００１７】
＜実施形態１＞
以下、本発明を具体化した実施形態１を図１乃至図２４を参照して説明する。本実施形態のコネクタは、第１ハウジング１０と第２ハウジング９０をレバー８０（本発明の構成要件である倍力部材）を用いて嵌合・離脱させるようにしたものであって、第１ハウジング１０を構成するハウジング本体１１と電線カバー４０の組付けを、上記レバー８０を利用して行うようになっている。
【００１８】
第１ハウジング１０は、ハウジング本体１１と、複数の雌端子金具３０と、電線カバー４０と、一括ゴム栓６０と、ホルダ７０と、レバー８０とを備えて構成されている。
ハウジング本体１１は、合成樹脂製であり、全体として左右方向（両ハウジング１０，９０の嵌合・離脱方向と直角な方向）に長いブロック状をなす端子収容部１２と、端子収容部１２の後端に連なって前方へ片持ち状に延出することで端子収容部１２を包囲する形態とされた筒状嵌合部１３とを一体に形成したものである。端子収容部１２の外面と筒状嵌合部１３の内面との間には、筒状をなすとともに前方（正面側）へ開放された嵌合空間１４が構成されている。
【００１９】
端子収容部１２内には、前後方向（両ハウジング１０，９０の嵌合・離脱方向と平行な方向）に貫通する複数のキャビティ１５が形成され、各キャビティ１５内には、ハウジング本体１１（端子収容部１２）の背面１１Ｒ（後端面）側から雌端子金具３０が挿入されている。各雌端子金具３０に接続された電線３１は、ハウジング本体１１の背面１１Ｒから後方へ導出されている。
【００２０】
筒状嵌合部１３（ハウジング本体１１）の上下両外面には、上下対称な一対の係合突起１６（本発明の構成要件である第２倍力機能部）が形成されている。この係合突起１６は、左右方向においてはハウジング本体１１の中央よりも少し側方（ハウジング本体１１を正面から見たときの左側）の位置に配置され、前後方向においてはハウジング本体１１の後端縁に近い位置に配置されている。同じく筒状嵌合部１３の上下両外面には、筒状嵌合部１３の前縁に沿って左右方向に延びる上下対称な一対の規制壁１７が形成されている。規制壁１７と筒状嵌合部１３とは、その前端縁同士が連なっており、筒状嵌合部１３の外面と規制壁１７との間には、後方（背面１１Ｒ側）へ開放された形態の規制空間１８が構成されている。
【００２１】
ハウジング本体１１の背面１１Ｒは、両ハウジング１０，９０の嵌合方向と直角な平面である。ハウジング本体１１の背面１１Ｒには、後方へ筒状に突出した形態の周壁部１９が一体に形成されている。周壁部１９は、全てのキャビティ１５の開口を一括して包囲するように、背面１１Ｒの周縁部に沿って配置されている。周壁部１９の内周面はシール面２０となっている。周壁部１９を構成する左右両壁部の外面には、抜止め突起２１が形成されている。周壁部１９を構成する上下両壁部の外面には、左右方向（ハウジング本体１１の背面１１Ｒと平行な方向）に直線状に延びる上下一対のガイドリブ２２が形成されている。ハウジング本体１１の背面１１Ｒにおける左右両端部には、周壁部１９の外側領域に配置された上下一対ずつのロック突起２３が形成されている。
【００２２】
電線カバー４０は、正面（前面）が開放されているとともに、左右両側面のうち一方（ハウジング本体１１を正面から見たときに右側）の側面が引出口４１として開放された箱状をなす。電線カバー４０は、ハウジング本体１１に対しその背面１１Ｒを覆うように組み付けられ、ハウジング本体１１の背面１１Ｒから導出された複数本の電線３１は、電線カバー４０の内部でハウジング本体１１の背面１１Ｒと略平行をなすように屈曲され、引出口４１から電線カバー４０の外部へ引き出されている。電線カバー４０を構成する左側壁（引出口４１とは反対側の側壁）の前端縁部は、ロック用係止縁部４２となっている。
【００２３】
電線カバー４０を構成する上下両壁部の内面には、電線カバー４０の正面側の開口縁に沿って左右方向に直線状に延びた形態の上下対称な一対のガイド溝４３が形成されている。電線カバー４０の正面側の開口縁は、ガイド溝４３と平行に直線状に延びている。電線カバー４０の上下両壁部の内面には、ガイド溝４３と平行に延びた形態の上下対称な一対のリブ状突起４４が形成されている。リブ状突起４４の右端部（引出口４１側の端部）において正面と側面とが略直角に連なる角縁部は、押圧用角縁部４５（本発明の構成要件である押圧部）となっている。
【００２４】
リブ状突起４４の左端部（引出口４１とは反対側の端部）には、正面側へ突出した形態の押圧用突部４６が形成されている。押圧用突部４６には、左右方向（ハウジング本体１１に対する電線カバー４０の組み付け方向と平行な方向）及び前後方向（ハウジング本体１１に対する電線カバー４０の組み付け方向と直角な方向）の両方向に対して斜めをなす押圧用斜面４７（本発明の構成要件である押圧部）が形成されている。リブ状突起４４の正面（前面）における右端部（押圧用角縁部４５に隣接する領域）と、押圧用突部４６の正面（押圧用斜面４７に隣接する領域）は、いずれも押圧面４８となっている。
【００２５】
電線カバー４０の上下両壁部の外面には、支持軸４９と、ストッパ５０と、嵌合位置用係止突起５１と、初期位置用係止突起５２（本発明の構成要件である係止部）とが、いずれも上下対称に一対ずつ突出した形態で形成されている。
支持軸４９は、軸線を上下方向（両ハウジング１０，９０の嵌合方向と直角であり、且つハウジング本体１１に対する電線カバー４０の組み付け方向と直角な方向）に向けて、互いに同軸状に突出形成されている。支持軸４９は、左右方向においては電線カバー４０のほぼ中央位置に配置され、前後方向においては電線カバー４０の正面に近い位置に配置されている。
【００２６】
ストッパ５０は、左右方向においては電線カバー４０の左端部（支持軸４９を挟んで引出口４１とは反対側の端部）に近い位置に配置され、前後方向においては支持軸４９とほぼ同じ位置に配置されている。嵌合位置用係止突起５１は、左右方向においてはストッパ５０と支持軸４９との間であってストッパ５０に近い位置に配置され、前後方向においては支持軸４９及びストッパ５０よりも少し後方の位置に配置されている。初期位置用係止突起５２は、左右方向においては支持軸４９と引出口４１との間の位置（支持軸４９を挟んで嵌合位置用係止突起５１とは反対側の位置）に配置され、前後方向においては支持軸４９よりも後方の位置に配置されている。
【００２７】
一括ゴム栓６０は、板状をなすゴム部材からなり、一括ゴム栓６０には、前後方向に貫通する複数のシール孔６１が、複数のキャビティ１５と対応する配置で形成されている。一括ゴム栓６０が弾性変形していない状態におけるシール孔６１の内径は、電線３１の外径よりも小さい寸法とされており、各シール孔６１には電線３１が液密状に密着した状態で貫通されるようになっている。また、一括ゴム栓６０の外周には、周方向に延びた形態のリップ部６２が形成されている。かかる一括ゴム栓６０は、ハウジング本体１１に対しその後方から周壁部１９に内嵌されるようにして組み付けられ、リップ部６２がシール面２０に対して液密状に密着されている。
【００２８】
ホルダ７０は、合成樹脂製であり、一括ゴム栓６０と対応する板状部７１と、板状部７１から前方へ突出する複数のダミー栓７２と、板状部７１の左右両側縁部から前方へ突出した形態であって、抜止め孔が形成された一対の抜止片７３とを一体に形成した形態である。ダミー栓７２は、複数のキャビティ１５のうち一部のキャビティ１５と対応するように配置されている。板状部７１には、ダミー栓７２とは非対応の複数のキャビティ１５と対応する複数の貫通孔７４が形成されており、貫通孔７４には、雌端子金具３０と電線３１が挿通されるようになっている。
【００２９】
板状部７１の背面における右端部には、後方へ突出した形態の受圧用突部７５が、上下対称に一対形成されている。受圧用突部７５には、左右方向（ハウジング本体１１に対する電線カバー４０の組み付け方向と平行な方向）及び前後方向（ホルダ７０の板状部７１がハウジング本体１１の背面１１Ｒとの間で一括ゴム栓６０を挟む方向と平行な方向）の両方向に対して斜めをなす受圧用斜面７６が形成されている。また、板状部７１の左端部のうち背面と側面とが略直角に連なる角縁部は、受圧用角縁部７７となっている。
【００３０】
レバー８０は、合成樹脂製であり、上下一対の対称なアーム部８１と、両アーム部８１の端部同士を連結する操作部８２とを一体に形成した形態である。アーム部８１は、ハウジング本体１１の上下両外面とほぼ平行（支持軸４９の軸線と直角）な板状をなす。レバー８０は、アーム部８１の軸受孔８３を支持軸４９に回動可能に嵌合させることにより、アーム部８１をハウジング本体１１及び電線カバー４０の上下両外側面と対向させた状態で、初期位置（図３，図４を参照）と嵌合位置（図１，図５を参照）との間で約１２０°の角度範囲で同一の経路に沿って往復移動するようになっている。
【００３１】
アーム部８１には、軸受孔８３を囲むような湾曲した形態のカム溝８４（本発明の構成要件である第１倍力作用部）が形成されている。カム溝８４の入口は、アーム部８１の外周縁に開口されている。アーム部８１における軸受孔８３と操作部８２との間の領域には、嵌合位置用係止孔８５と、初期位置用係止孔８６（本発明の構成要件である係止部）が形成されている。
【００３２】
アーム部８１には、その外周縁から径方向外側へ張り出した形態の係合リブ８７（本発明の構成要件である第２倍力作用部）が、アーム部８１の外周縁に沿った所定の領域に亘って連続して形成されている。係合リブ８７の外周縁（外周面）は摺接面８８となっており、この摺接面８８とレバー８０の回動中心（軸受孔８３及び支持軸４９の軸心）との間の径方向の距離は、係合リブ８７の長さ方向（周方向）における一方の端部（レバー８０の嵌合位置から初期位置への回動方向における先方側の端部であり、図１〜図５の時計回り方向における先方側の端部）において最も短い。そして、摺接面８８とレバー８０の回動中心との間の距離は、一方の端部から他方の端部に向かうにつれて次第に長くなり、他方の端部において最も長い。
【００３３】
係合リブ８７の内面（ハウジング本体１１及び電線カバー４０との対向面）は、アーム部８１の内面に対して面一状に連なっているのに対し、係合リブ８７の外面は、アーム部８１の外面に対して段差状に凹んだ形態（ハウジング本体１１及び電線カバー４０側へ変位した形態）となっている。つまり、係合リブ８７はアーム部８１よりも肉薄である。レバー８０が初期位置と嵌合位置との間のいずれの位置にあっても、係合リブ８７の一部は、常に、規制空間１８内に進入している。したがって、係合リブ８７が外面側へ変位しようとしても、規制壁１７によってその変位が規制されている。
【００３４】
第２ハウジング９０は、回路基板（図示省略）に取り付けられるものであり、図２３及び図２４に示すように、板状をなす端子保持部９１と、端子保持部９１の外周縁から正面側（第１ハウジング１０側）へ筒状に延出した形態のフード部９２とを一体に形成したものである。端子保持部９１には、略Ｌ字形に屈曲した形態複数本の雄端子金具９３が貫通した状態で取り付けられている。雄端子金具９３の先端部は、フード部９２に包囲されてた状態で第１ハウジング１０に向かって突出している。雄端子金具９３の基端部は、端子保持部９１の背面側へ突出されて回路基板に接続されるようになっている。
【００３５】
フード部９２の上下両外面には、軸線を上下方向（両ハウジング１０，９０の嵌合・離脱方向及びレバー８０の回動方向に対して直角な方向）に且つ同軸状に向けた略円柱状をなす上下対称な一対のカムフォロア９４（本発明の構成要件である第１倍力機能部）が、突出して形成されている。
【００３６】
次に、第１ハウジング１０の組み付け手順を説明する。まず、電線カバー４０をハウジング本体１１から外した状態で、一括ゴム栓６０を周壁部１９内に嵌入してハウジング本体１１の背面１１Ｒに当接させる。次に、一括ゴム栓６０の背面１１Ｒ側からホルダ７０をハウジング本体１１に対して仮組みする。このとき、ダミー栓７２をシール孔６１に嵌入しながら、板状部７１を一括ゴム栓６０の背面に当接させることにより、板状部７１とハウジング本体１１の背面１１Ｒとの間で一括ゴム栓６０を前後方向に挟む。また、ホルダ７０を仮組みした状態では、図５に示すように、抜止片７３の抜止孔が抜止め突起２１に係止することにより、ホルダ７０は、ハウジング本体１１に対し後方への相対変位（離脱）を規制されているとともに、板状部７１の正面と周壁部１９の後端縁との間にクリアランスが空いている。
【００３７】
この後、電線３１が接続されている雌端子金具３０を、ホルダ７０の背面側から、貫通孔７４とシール孔６１を順に挿通させながら押し込んで、キャビティ１５内に挿入する。雌端子金具３０が挿入された状態では、電線３１の外周とシール孔６１の内周とが液密状に密着することにより、シール孔６１を通る経路での浸水が防止される。また、一括ゴム栓６０の外周のリップ部６２がシール面２０に対して液密状に密着することにより、一括ゴム栓６０の外周と周壁部１９との間を通る経路での浸水が防止される。
【００３８】
全ての雌端子金具３０が挿入されたら、電線カバー４０をハウジング本体１１に仮組みする。組付けに際しては、レバー８０を電線カバー４０から外しておき、電線カバー４０を、ハウジング本体１１に対し斜め左後方に配置する。そして、ガイド溝４３の右端部をガイドリブ２２の左端部に係合させ、電線カバー４０の正面側の開口縁をハウジング本体１１の背面１１Ｒに摺接させながら、電線カバー４０をハウジング本体１１に対して右方へスライドさせる。この間、ガイドリブ２２とガイド溝４３との係合、及び電線カバー４０の正面側の開口縁がハウジング本体１１の背面１１Ｒに当接することにより、電線カバー４０はハウジング本体１１に対して前後方向及び上下方向への相対移動を規制される。
【００３９】
電線カバー４０のスライド動作が進むのに伴い、ホルダ７０の後方へ導出されている複数本の電線３１が電線カバー４０内に収容されていくとともに、収容された電線３１が、引出口４１の開口縁と電線カバー４０の背面壁に当接することにより右方へ曲げられていく。電線カバー４０は、図６に示すように、ロック用係止縁部４２がロック突起２３に対して左方から当接する位置まで、スライドさせる。
【００４０】
この後、仮組みされている電線カバー４０に対しレバー８０を組み付ける。組み付けに際しては、レバー８０を嵌合位置と同じ姿勢にして後方から電線カバー４０に接近させ、アーム部８１を弾性的に拡開させながら、軸受孔８３を支持軸４９に嵌合し、係合リブ８７を規制空間１８内に進入させ、嵌合位置用係止孔８５を嵌合位置用係止突起５１に嵌合させる。すると、図１に示すように、嵌合位置用係止突起５１と嵌合位置用係止孔８５との係止により、レバー８０は初期位置側への回動を規制されるとともに、アーム部８１がストッパ５０に当接することによりレバー８０の初期位置とは反対方向への回動を規制され、もって、レバー８０が嵌合位置に保持される。
【００４１】
レバー８０が嵌合位置にある状態では、図１に示すように、係合リブ８７の摺接面８８と係合突起１６とは非対応の位置関係にあり、アーム部８１の外周縁が係合突起１６に対して隙間を空けて対向している。そして、この状態からレバー８０を初期位置側へ回動させる。このとき、レバー８０に嵌合位置用係止突起５１と嵌合位置用係止孔８５との係止力を上回る操作力を操作部８２に付与すれば、レバー８０の回動が開始する。
【００４２】
レバー８０が回動する過程では、図２に示すように、係合リブ８７の摺接面８８が係合突起１６に対して右方（つまり、ハウジング本体１１に対する電線カバー４０の組み付け方向と平行な方向）から当接し、その状態から更にレバー８０の回動が進むと、摺接面８８が係合突起１６に摺接する。この間、摺接面８８における係合突起１６との接触位置は、レバー８０の回動中心（支持軸４９）からの距離が最も短い位置から最も長い位置に向かってずれていくので、摺接面８８から係合突起１６に対して左向きの押圧力が作用する。このレバー８０側からの押圧作用により、係合突起１６からレバー８０に対して右向きの反力が生じるので、この反力により、電線カバー４０がハウジング本体１１に対して相対的に右方へ移動する。
【００４３】
電線カバー４０がハウジング本体１１に対して右方へ相対移動（スライド）する過程では、移動の開始直後に、電線カバー４０の側面壁が弾性変形しながらロック用係止縁部４２がロック突起２３を乗り越える。ここで、レバー８０の回動中心（支持軸４９）から摺接面８８と係合突起１６との接触位置までの距離は、レバー８０の回動中心から操作部８２までの距離よりも短いので、倍力効果が発揮される。この倍力効果により、小さい操作力でも、ロック突起２３とロック用係止縁部４２の係止力を上回る力が電線カバー４０に付与され、電線カバー４０を確実に移動させることができる。
【００４４】
電線カバー４０のスライド動作の前半では、電線カバー４０の右端部に位置する押圧用角縁部４５が、ホルダ７０の受圧用斜面７６に対し斜め左後方から押圧力を付与しながら摺接するとともに、電線カバー４０の左端部に位置する押圧用斜面４７が、ホルダ７０の受圧用角縁部７７に対し斜め左後方から押圧力を付与しながら摺接する。これらの摺接作用により、ホルダ７０がハウジング本体１１に対して前方へ相対的に平行移動し、ホルダ７０の移動に伴って一括ゴム栓６０がホルダ７０の板状部７１とハウジング本体１１の背面１１Ｒとの間で前後方向に押し潰されていく。
【００４５】
このとき、ホルダ７０の左右両抜止片７３が周壁部１９に対して左右から挟むように当接しているとともに、電線カバー４０がホルダ７０に対して左右両端部（つまり、左右方向に大きく離間した２位置）で押圧しているので、ホルダ７０は左右に傾くことなく安定した姿勢で前方へ移動することができる。これにより、一括ゴム栓６０の弾性撓み量が左右方向全領域に亘って概ね均一化される。一括ゴム栓６０が弾性的に潰れ変形することにより、シール孔６１の内周が縮径方向に変位してシール孔６１と電線３１との間の密着度が高まるとともに、リップ部６２とシール面２０との間の密着度が高まる。
【００４６】
また、電線カバー４０のスライド動作の後半では、電線カバー４０のリブ状突起４４の押圧面４８が、ホルダ７０の右端部に位置する受圧用突部７５に対し後方から押圧力を付与しながら右方へ摺接するとともに、電線カバー４０の押圧用突部４６の押圧面４８が、ホルダ７０の背面における左端部に対し後方から押圧力を付与しながら右方へ摺接する。この押圧面４８は前後方向に対して直角な平面なので、ホルダ７０は前後方向には移動せず、一括ゴム栓６０の弾性撓み量が変動することはない。
【００４７】
そして、図３に示すように、レバー８０が初期位置に到達すると、電線カバー４０はハウジング本体１１に対する正しい組付け位置に到達し、電線カバー４０の組み付け作業が完了する。また、初期位置用係止孔８６と初期位置用係止突起５２との係止作用により、レバー８０は、嵌合位置側への回動を規制された状態で初期位置に保持される。
【００４８】
また、電線カバー４０がハウジング本体１１に対して正しく組み付けられると、図７に示すように、電線カバー４０のロック用係止縁部４２がハウジング本体１１のロック突起２３に対して右方から係止（当接）するので、電線カバー４０はハウジング本体１１に対して左方（外れる方向）への相対移動を規制される。また、電線カバー４０の左側壁がホルダ７０に対して左方から当接するので、電線カバー４０はハウジング本体１１に対し右方への相対移動を規制される。これにより、電線カバー４０はハウジング本体１１に対し正規の組付け状態にロックされる。
【００４９】
電線カバー４０がハウジング本体１１に対して正しく組み付けられた後は、レバー８０は初期位置に保持したままにしておく。レバー８０が初期位置にある状態では、カム溝８４の入口が正面側に開口し、前方からカムフォロア９４がカム溝８４内に進入し得る状態となる。したがって、この後、第１ハウジング１０と第２ハウジング９０を嵌合する際には、レバー８０を回動させる必要はない。
【００５０】
両ハウジング１０，９０を嵌合する際には、図４に示すように、第２ハウジング９０のフード部９２を第１ハウジング１０の嵌合空間１４に対して浅く進入させ、カムフォロア９４をカム溝８４の入口に進入させる。この状態から、レバー８０に対し初期位置用係止孔８６と初期位置用係止突起５２の係止力を上回る操作力を操作部８２に付与すると、レバー８０が嵌合位置側へ回動を始める。レバー８０の回動が進むのに伴い、カム溝８４とカムフォロア９４との係合によるカム作用により倍力効果が発揮され、両ハウジング１０，９０が引き寄せられる。そして、レバー８０が嵌合位置に到達すると、両ハウジング１０，９０が正規の嵌合状態に到達する。このとき、レバー８０は嵌合位置用係止孔８５と嵌合位置用係止突起５１の係止作用によって嵌合位置に保持されるので、両ハウジング１０，９０は正規の嵌合状態にロックされる。
【００５１】
尚、レバー８０を初期位置から嵌合位置へ回動させる過程では、係合リブ８７の摺接面８８が係合突起１６から次第に離間していくので、電線カバー４０はハウジング本体１１に対し正しく組み付けられた状態を維持する。
また、両ハウジング１０，９０を離脱する際には、レバー８０を嵌合位置から初期位置へ回動させれば、カム溝８４とカムフォロア９４との係合によるカム作用により、倍力効果が発揮され、両ハウジング１０，９０が離間される。
【００５２】
上述のように、本実施形態のコネクタは、カム溝８４とカムフォロア９４を係合させた状態でレバー８０を変位させることにより、両ハウジング１０，９０に対し嵌合方向へ相対移動させる力が付与されるようになっているのであるが、レバー８０に係合リブ８７を設けるとともに、ハウジング本体１１（ハウジング本体１１と電線カバー４０のうちレバー８０が取り付けられていない側の部材）に係合突起１６を設け、係合リブ８７と係合突起１６を係合させた状態でレバー８０を変位させることにより、電線カバー４０とハウジング本体１１に対し正規の組付け状態へ相対移動させる力が付与されるようになっている。
【００５３】
この構成によれば、倍力部材としてのレバー８０を、第２ハウジング９０側ではなく、電線カバー４０とハウジング本体１１を有する第１ハウジング１０側に設けているので、第１ハウジング１０と第２ハウジング９０を組み付ける前に、電線カバー４０とハウジング本体１１を正しく組み付けておくことができる。また、レバー８０は、両ハウジング１０，９０を嵌合させるための嵌合機能だけでなく、電線カバー４０とハウジング本体１１を正しく組み付けるための組付け機能も兼ね備えているので、レバー８０とは別に、組付け機能のための専用の部材を設ける必要がなく、部品点数が少なくて済んでいる。
【００５４】
また、レバー８０が、初期位置と嵌合位置との間で同一の経路に沿って往復変位する形態であることに着目し、両ハウジング１０，９０を嵌合させるときのレバー８０の変位方向と、電線カバー４０とハウジング本体１１を組み付けるときのレバー８０の変位方向が、互いに逆向きとなるようにしている。したがって、両ハウジング１０，９０を嵌合させるときのレバー８０の変位経路と、電線カバー４０とハウジング本体１１を組み付けるときのレバー８０の変位経路が、互いに別々である場合に比べると、レバー８０の変位に必要なスペースが小さくて済んでいる。
【００５５】
また、レバー８０を初期位置まで変位させると、電線カバー４０とハウジング本体１１との組付けが完了するとともに、両ハウジング１０，９０の嵌合準備が整うようになっている。したがって、電線カバー４０とハウジング本体１１を組み付けた後は、レバー８０をそのまま初期位置に留め置けばよいので、レバー８０を無駄に変位させる必要がなく、作業性に優れている。
【００５６】
また、電線３１をシール孔６１に貫通させる作業は、電線カバー４０をハウジング本体１１に組み付ける前に行われるのであるが、本実施形態では、この点に着目し、電線カバー４０には、電線カバー４０がハウジング本体１１に対して組付け方向へ相対移動する過程で、ホルダ７０を背面側から一括ゴム栓６０側へ押圧する押圧部（押圧用角縁部４５と押圧用斜面４７）を設けている。そして、電線カバー４０をハウジング本体１１に対して組付け方向へ相対移動させることにより、一括ゴム栓６０が弾性的に圧縮され、シール孔６１の内周が縮径方向に変位してシール孔６１と電線３１との間の密着度が高まるようにしている。この構成によれば、電線３１をシール孔６１に挿通する時点では、シール孔６１の内径が比較的大きいので、電線３１を挿通する際の抵抗が小さく抑えられ、作業性に優れている。
【００５７】
＜他の実施形態＞
本発明は上記記述及び図面によって説明した実施形態に限定されるものではなく、例えば次のような実施態様も本発明の技術的範囲に含まれる。
（１）上記実施形態では、倍力部材を電線カバーに取り付け、第２倍力機能部をハウジング本体に設けたが、倍力部材をハウジング本体に取り付けて、第２倍力機能部を電線カバーに設けてもよい。
（２）上記実施形態では、第２倍力作用部と第２倍力機能部は、倍力部材の変位過程の途中から終了時まで継続して係合するようにしたが、第２倍力作用部と第２倍力機能部の係合は、倍力部材の変位の初期（つまり、倍力部材が嵌合位置にある状態）から変位の終了（つまり、倍力部材が初期位置に到達した状態）まで継続して行われるようにしてもよく、倍力部材の変位の終期にのみ行われるようにしてもよい。
（３）上記実施形態では、倍力部材が回動するように変位したが、倍力部材の変位形態は平行移動であってもよい。
（４）上記実施形態では、倍力部材を往復移動可能とし、電線カバーとハウジング本体を組み付けるときと、両ハウジングを嵌合するときとで、倍力部材が同じ経路を逆向きに変位するようにしたが、第１ハウジングと第２ハウジングを嵌合さるときの倍力部材の変位経路と、電線カバーとハウジング本体を組み付けるときの倍力部材の変位経路が、互いに別々であってもよい。
（５）上記実施形態では、倍力部材が初期位置に到達したときに電線カバーとハウジング本体の正規の組付けが完了するようにしたが、電線カバーとハウジング本体の正規の組付けが完了したときの倍力部材の位置は、初期位置以外の位置であってもよい。
（６）上記実施形態では、電線カバーの組付け時の移動方向をハウジング本体の背面と平行な向き（両ハウジングの嵌合方向と直交する方向）としたが、電線カバーの組付け時の移動経路は、ハウジング本体の背面と交差する直線経路であってもよく、軸を支点として回動する経路であってもよい。
（７）上記実施形態では、一括ゴム栓を設けることにより防水を図るようにしたが、本発明は、非防水タイプのコネクタにも適用できる。
【符号の説明】
【００５８】
１０…第１ハウジング
１１…ハウジング本体
１６…係合突起（第２倍力機能部）
４０…電線カバー
４５…押圧用角縁部（押圧部）
４７…押圧用斜面（押圧部）
５２…初期位置用係止突起（係止部）
６０…一括ゴム栓
６１…シール孔
７０…ホルダ
７４…貫通孔
８０…レバー（倍力部材）
８４…カム溝（第１倍力作用部）
８６…初期位置用係止孔（係止部）
８７…係合リブ（第２倍力作用部）
９０…第２ハウジング
９４…カムフォロア（第１倍力機能部）
【図１】
2011034923.tif 000003
【図２】
2011034923.tif 000004
【図３】
2011034923.tif 000005
【図４】
2011034923.tif 000006
【図５】
2011034923.tif 000007
【図６】
2011034923.tif 000008
【図７】
2011034923.tif 000009
【図８】
2011034923.tif 000010
【図９】
2011034923.tif 000011
【図１０】
2011034923.tif 000012
【図１１】
2011034923.tif 000013
【図１２】
2011034923.tif 000014
【図１３】
2011034923.tif 000015
【図１４】
2011034923.tif 000016
【図１５】
2011034923.tif 000017
【図１６】
2011034923.tif 000018
【図１７】
2011034923.tif 000019
【図１８】
2011034923.tif 000020
【図１９】
2011034923.tif 000021
【図２０】
2011034923.tif 000022
【図２１】
2011034923.tif 000023
【図２２】
2011034923.tif 000024
【図２３】
2011034923.tif 000025
【図２４】
2011034923.tif 000026